(57)【要約】【課題】  有線ＬＡＮ側の通信状態の異常を検知した場合に、アドホック通信手段により他無線アクセスポイントとの間でパケットデータを中継する。【解決手段】  異常検知部１７が有線ＬＡＮ５側の通信状態の異常を検知した場合に、アドホックモード通信制御部１４は、自無線アクセスポイント１に帰属している無線ＬＡＮ端末から受信したパケットデータを、有線ＬＡＮ５を介さないアドホック通信手段により他無線アクセスポイントへ中継し、他無線アクセスポイントから受信した自無線アクセスポイントに帰属している無線ＬＡＮ端末宛のパケットデータを当該無線ＬＡＮ端末へ中継する。【選択図】  図２
2011234285.tif 000002
【特許請求の範囲】
【請求項１】
有線ＬＡＮに接続され前記有線ＬＡＮと無線ＬＡＮ端末との間でデータを中継する無線アクセスポイントにおいて、
前記有線ＬＡＮ側の通信状態の異常を検知する異常検知手段と、他無線アクセスポイントと前記有線ＬＡＮを介さないアドホックモードによる無線通信を実行するアドホック通信手段と、を有し、
前記異常検知手段が前記有線ＬＡＮ側の通信状態の異常を検知した場合に、
自無線アクセスポイントに帰属している無線ＬＡＮ端末から受信したパケットデータを前記アドホック通信手段により他無線アクセスポイントへ中継し、他無線アクセスポイントから受信したパケットデータが自無線アクセスポイントに帰属している無線ＬＡＮ端末宛であったならば当該パケットデータを当該無線ＬＡＮ端末へ中継し、他無線アクセスポイントから受信したパケットデータが自無線アクセスポイントに帰属している無線ＬＡＮ端末宛でないならば前記パケットデータの送信元以外の他無線アクセスポイントへ当該パケットデータを中継することを特徴とするアドホック通信機能を有する無線アクセスポイント。
【請求項２】
請求項１に記載の無線アクセスポイントにおいて、
ＶｏＩＰ通信に係る送信元または送信先のＩＰアドレスを内線番号と対応付けて登録するＩＰアドレス登録手段と、ＶｏＩＰ通信に係る呼制御を実行する呼制御手段をさらに有し、
前記異常検知手段が前記有線ＬＡＮ側の通信状態の異常を検知している状態で、自無線アクセスポイントに帰属している無線ＬＡＮ端末からＶｏＩＰ通信の呼制御に係るパケットデータを受信した場合に、
前記呼制御手段は前記無線ＬＡＮ端末との間でＶｏＩＰ通信に係る呼制御を実行し、前記ＩＰアドレス登録手段を参照して通信相手の内線番号に対応するＩＰアドレスを前記無線ＬＡＮ端末に通知することを特徴とするアドホック通信機能を有する無線アクセスポイント。
【請求項３】
請求項２に記載の無線アクセスポイントにおいて、
前記異常検知手段が前記有線ＬＡＮ側の通信状態の異常を検知している状態で、自無線アクセスポイントに帰属している無線ＬＡＮ端末からＶｏＩＰ通信の呼制御に係るパケットデータを受信した場合に、
前記ＩＰアドレス登録手段に登録されている送信元または送信先に係るパケットデータを優先して中継することを特徴とするアドホック通信機能を有する無線アクセスポイント。
【請求項４】
請求項１から３のいずれかに記載の無線アクセスポイントにおいて、
前記異常検知手段は、前記有線ＬＡＮに接続された所定の装置へ応答を要求するキープアライブコマンドを定期的に送信し、前記装置から前記キープアライブコマンドに対する応答を一定時間内に受信しない場合に異常と判定することを特徴とするアドホック通信機能を有する無線アクセスポイント。
【発明の詳細な説明】
【技術分野】
【０００１】
本発明は、有線ＬＡＮ（Ｌｏｃａｌ  Ａｒｅａ  Ｎｅｔｗｏｒｋ）に接続され、自無線アクセスポイントに帰属している無線ＬＡＮ端末と前記有線ＬＡＮと無線ＬＡＮ端末との間で、データを中継する無線アクセスポイントに関する。
【背景技術】
【０００２】
無線ＬＡＮシステムにおいて、無線ＬＡＮ端末は、無線アクセスポイントを介して有線ＬＡＮと接続するＩＥＥＥ８０２．１１に準拠するインフラストラクチャモード（以下、インフラモードと略す）による通信方式が一般的であった。
【０００３】
このインフラモードによる通信方式の場合、無線ＬＡＮ端末間で通信する場合も、無線アクセスポイントおよび有線ＬＡＮを介してデータを授受するので、有線ＬＡＮ側に異常があった場合、または有線ＬＡＮ側のトラヒックが逼迫している場合、通信が出来ない、またはスループットが低下するという欠点があった。
【０００４】
この欠点を改善する技術として、有線ＬＡＮ側のトラヒック状況に応じて、ＩＥＥＥ８０２．１１で規定されている無線ＬＡＮ規格の内、無線アクセスポイントの介在なしに無線ＬＡＮ端末間で直接通信するアドホックモードによる無線通信を活用する技術がある（例えば、特許文献１）。
【０００５】
しかしながら、特許文献１に記載されている技術では、各無線ＬＡＮ端末はインフラモードとアドホックモードの両方の通信方式に対応し、適宜、両モードを切替える必要がある。このため、無線ＬＡＮ端末は、インフラモードとアドホックモードの両方の通信方式に対応した高機能な端末に限定され、インフラモードしか有さない一般的な無線ＬＡＮ端末には効果が無いという問題があった。
【先行技術文献】
【特許文献】
【０００６】
【特許文献１】特開２００８−２７７９１９号公報
【発明の概要】
【発明が解決しようとする課題】
【０００７】
そこで、本発明の課題は、有線ＬＡＮ側に異常またはトラヒックの逼迫が発生した場合に、無線ＬＡＮ端末とはインフラモードによる無線通信を実行しつつ、他の無線アクセスポイントとはアドホックモードによる無線通信を実行できる無線アクセスポイントを提供することにある。
【課題を解決するための手段】
【０００８】
上記課題を解決するために、第１の発明は、有線ＬＡＮに接続され前記有線ＬＡＮと無線ＬＡＮ端末との間でデータを中継する無線アクセスポイントにおいて、前記有線ＬＡＮ側の通信状態の異常を検知する異常検知手段と、他無線アクセスポイントと前記有線ＬＡＮを介さないアドホックモードによる無線通信を実行するアドホック通信手段と、を有し、前記異常検知手段が前記有線ＬＡＮ側の通信状態の異常を検知した場合に、自無線アクセスポイントに帰属している無線ＬＡＮ端末から受信したパケットデータを前記アドホック通信手段により他無線アクセスポイントへ中継し、他無線アクセスポイントから受信したパケットデータが自無線アクセスポイントに帰属している無線ＬＡＮ端末宛であったならば当該パケットデータを当該無線ＬＡＮ端末へ中継し、他無線アクセスポイントから受信したパケットデータが自無線アクセスポイントに帰属している無線ＬＡＮ端末宛でないならば前記パケットデータの送信元以外の他無線アクセスポイントへ当該パケットデータを中継することを特徴とする。
【０００９】
また、第２の発明は、第１の発明の無線アクセスポイントにおいて、ＶｏＩＰ通信に係る送信元または送信先のＩＰアドレスを内線番号と対応付けて登録するＩＰアドレス登録手段と、ＶｏＩＰ通信に係る呼制御を実行する呼制御手段をさらに有し、前記異常検知手段が前記有線ＬＡＮ側の通信状態の異常を検知している状態で、自無線アクセスポイントに帰属している無線ＬＡＮ端末からＶｏＩＰ通信の呼制御に係るパケットデータを受信した場合に、前記呼制御手段は前記無線ＬＡＮ端末との間でＶｏＩＰ通信に係る呼制御を実行し、前記ＩＰアドレス登録手段を参照して通信相手の内線番号に対応するＩＰアドレスを前記無線ＬＡＮ端末に通知することを特徴とするアドホック通信機能を有する。
【００１０】
さらに、第３の発明は、第２の発明の無線アクセスポイントにおいて、前記異常検知手段が前記有線ＬＡＮ側の通信状態の異常を検知している状態で、自無線アクセスポイントに帰属している無線ＬＡＮ端末からＶｏＩＰ通信の呼制御に係るパケットデータを受信した場合に、前記ＩＰアドレス登録手段に登録されている送信元または送信先に係るパケットデータを優先して中継することを特徴とする。
【００１１】
さらに、第４の発明は、第１から３の発明のいずれかの無線アクセスポイントにおいて、前記異常検知手段は、前記有線ＬＡＮに接続された所定の装置へ応答を要求するキープアライブコマンドを定期的に送信し、前記装置から前記キープアライブコマンドに対する応答を一定時間内に受信しない場合に異常と判定することを特徴とする。
【発明の効果】
【００１２】
本発明によれば、有線ＬＡＮ側に異常またはトラヒックの逼迫が発生した場合に、インフラモードしか有さない一般の無線ＬＡＮ端末であっても、当該有線ＬＡＮを迂回して中継できる無線アクセスポイントを提供できる。
【図面の簡単な説明】
【００１３】
【図１】・・・全体構成図
【図２】・・・本発明による無線アクセスポイントの内部ブロック構成図
【図３】・・・本発明による無線アクセスポイントの動作フローチャート
【符号の説明】
【００１４】
１・・・本発明による無線アクセスポイント
２・・・無線ＬＡＮ電話端末
３・・・無線アクセスポイントの電波到達範囲
４・・・無線ＬＡＮ電話端末と無線アクセスポイント間の無線電波
５・・・有線ＬＡＮ
６・・・ゲートウェイ／ルータ
７・・・ＷＡＮ
８・・・ＳＩＰサーバ
９・・・無線アクセスポイントと無線アクセスポイント間の無線電波
１１・・・中継制御部
１２・・・有線ＬＡＮ通信部
１３・・・インフラモード通信制御部
１４・・・アドホックモード通信制御部
１５・・・無線通信部
１６・・・アンテナ
１７・・・異常検知部
１８・・・ＳＩＰ呼制御部
１９・・・ＩＰアドレス登録部
【発明を実施するための形態】
【００１５】
以下、本発明の実施形態として、ＶｏＩＰ（Ｖｏｉｃｅ  ｏｖｅｒ  ＩＰ）通信に係るＳＩＰ（Ｓｅｓｓｉｏｎ  Ｉｎｉｔｉａｔｉｏｎ  Ｐｒｏｔｏｃｏｌ）対応の無線ＬＡＮ電話端末を収容する無線アクセスポイントを例に、図面を用いて説明する。
【００１６】
図１は、本装置の全体構成図であって、１は本発明による無線アクセスポイント（以下、本装置と略す）、２は無線ＬＡＮ電話端末、３は無線アクセスポイント１の電波到達範囲、４は無線ＬＡＮ電話端末２と無線アクセスポイント１間の無線電波、５は有線ＬＡＮ、６はゲートウェイ／ルータ、７はＷＡＮ（Ｗｉｄｅ  Ａｒｅａ  Ｎｅｔｗｏｒｋ）、８はＳＩＰサーバ、９は無線アクセスポイント１ａと無線アクセスポイント１ｂ間の無線電波である。
【００１７】
本装置１ａは無線ＬＡＮ電話端末２ａを収容し、有線ＬＡＮ５に接続されている。同様に、本装置１ｂは無線ＬＡＮ電話端末２ｂを収容し、有線ＬＡＮ５に接続されている。ここで、無線電波４による無線通信は、例えばＩＥＥＥ８０２．１１で規定されている無線ＬＡＮ規格の内、無線アクセスポイントが介在するインフラモードによる無線通信規格に準拠している。
【００１８】
例えば、無線ＬＡＮ電話端末２ａから無線ＬＡＮ電話端末２ｂへ発信する場合、またはゲートウェイ／ルータ６を介してＷＡＮ側へ発信する場合、本装置１ａは、無線電波４ａおよび有線ＬＡＮ５を介して、無線ＬＡＮ電話端末２ａとＳＩＰサーバ８との間の呼制御データを中継し、本装置１ｂは、無線電波４ｂおよび有線ＬＡＮ５を介して、無線ＬＡＮ電話端末２ｂとＳＩＰサーバ８との間の呼制御データを中継する。そして、ＳＩＰ呼制御が確立し通話中になると、本装置１ａおよび本装置１ｂは、有線ＬＡＮ５を介して、無線ＬＡＮ電話端末２ａと無線ＬＡＮ電話端末２ｂまたはＷＡＮ７との間の音声データをＲＴＰ（Ｒｅａｌ−ｔｉｍｅ  Ｔｒａｎｓｐｏｒｔ  Ｐｒｏｔｏｃｏｌ）パケットで相互に中継する。
【００１９】
即ち、本装置１は、有線ＬＡＮ５側に異常またはスループットが非常に低下するような事態が発生していない正常な状態では、一般的な無線アクセスポイントとして、インフラモードによる無線通信で、無線ＬＡＮ電話端末２と有線ＬＡＮ５との間でデータを中継する。
【００２０】
しかし、有線ＬＡＮ５側に異常またはトラヒックの逼迫等の、有線ＬＡＮ５を介した通信が出来ないまたはスループットが非常に低下するような事態が発生した場合、またはＬＡＮ全体の通信状況を監視制御するＬＡＮ制御装置（図示せず）から有線ＬＡＮ５を迂回する指示があった場合、本装置１は有線ＬＡＮ５を介したデータ中継を停止する。
【００２１】
そして、本装置１ａと本装置１ｂは、直接、無線電波９による無線通信で、各無線ＬＡＮ電話端末２からのデータを相互に中継する。ここで、無線電波９による無線通信は、例えばＩＥＥＥ８０２．１１で規定されている無線ＬＡＮ規格の内、無線アクセスポイントの介在なしに無線ＬＡＮ端末間で直接通信するアドホックモードによる無線通信規格に準拠している。
【００２２】
なお、本装置１ａと本装置１ｂは、ＩＰアドレスを持っており、お互いの電波到達範囲３の内に存在していると共に、相互通信する際は、送信先をＩＰアドレスで直接指定するアドホックモードによる無線通信を実行する無線ＬＡＮ端末として動作する。
【００２３】
図２は、本装置１の内部ブロック構成図であって、１１は中継制御部、１２は有線ＬＡＮ通信部、１３はインフラモード通信制御部、１４はアドホックモード通信制御部、１５は無線通信部、１６はアンテナ、１７は異常検知部、１８はＳＩＰ呼制御部、１９はＩＰアドレス登録部である。
【００２４】
中継制御部１１は、有線ＬＡＮ通信部１２を介して有線ＬＡＮ５とデータを授受すると共に、インフラモード通信制御部１３またはアドホックモード通信制御部１４のいずれかを選択して、無線通信部１５とデータを授受する。そして、有線ＬＡＮ通信部１２および無線通信部１５との間で授受したデータを相互に中継する。
【００２５】
インフラモード通信制御部１３は、無線ＬＡＮ電話端末２とのインフラモードによる通信を無線通信部１５に実行させる制御手段であり、通常はこのインフラモードによる通信が稼動している。
【００２６】
アドホックモード通信制御部１４は、他の無線アクセスポイントとのアドホックモードによる通信を無線通信部１５に実行させる制御手段であり、有線ＬＡＮ５側に異常が発生した場合等で、中継制御部１１により起動される。
【００２７】
無線通信部１５は、インフラモードまたはアドホックモードによる無線通信手段であり、インフラモード通信制御部１３またはアドホックモード通信制御部１４を介して、中継制御部１１からのデータを無線信号に変換して送信し、受信した無線信号を元のデータに復元して中継制御部１１に送る。
【００２８】
異常検知部１７は、有線ＬＡＮ５側の異常を監視し、異常を検知した場合に、異常を中継制御部１１へ通知する手段である。異常検知部１７が有線ＬＡＮ５側の異常を監視する具体的な手段は、例えば、有線ＬＡＮ５に接続されたＳＩＰサーバ８へ応答を要求するキープアライブコマンドを定期的に送信し、ＳＩＰサーバ８から送信したキープアライブコマンドに対する応答信号の受信を監視し、一定時間内に応答信号を受信したか否かを監視する。そして、一定時間内に応答信号を受信しない場合は、ＳＩＰサーバ８または有線ＬＡＮ５に異常が発生していると判定するようにすればよい。
【００２９】
ＳＩＰ呼制御部１８は、無線ＬＡＮ電話端末２との間でＳＩＰプロトコルに係る呼制御を実行する手段であり、アドホックモードが起動されている場合に稼動し、ＳＩＰサーバ８が実行すべき処理を代行する。
【００３０】
ＩＰアドレス登録部１９は、本装置１のＩＰアドレスおよび通信相手のＩＰアドレスを登録しておく手段であり、登録されているＩＰアドレスは、ＳＩＰ呼制御部１８が無線ＬＡＮ電話端末２との間でＳＩＰプロトコルに係る呼制御を実行する際に必要となる。具体的には、ＳＩＰサーバ８と同様に、内線番号をＩＰアドレスに変換し、通信相手の内線番号に対応するＩＰアドレスを無線ＬＡＮ電話端末２に通知する際に、ＳＩＰ呼制御部１８は、このＩＰアドレス登録部１９を参照する。
【００３１】
また、ＩＰアドレス登録部１９は、有線ＬＡＮ５を介した通信が出来ない、またはスループットが非常に低下するような事態が発生し、有線ＬＡＮ５より帯域が狭い無線電波９を使用した、アドホックモードによる無線通信でパケットデータを中継する際に、優先して中継すべきパケットデータの優先すべき送信元または送信先のＩＰアドレスを登録しておく手段でもある。即ち、受信したパケットデータの送信元または送信先が、ＩＰアドレス登録部１９に優先すべき送信元または送信先として登録されていた場合、中継処理部１１は、そのパケットデータを優先的に中継する。
【００３２】
なお、ＩＰアドレス登録部１９に登録された全てのＩＰアドレスを優先とはせず、優先すべき送信元または送信先であることを示す優先情報（ビットまたはフラグ）が登録されていた場合に、優先して中継するようにしてもよい。
【００３３】
図３は、本装置１の動作フローチャートである。以下、フローチャートを用いて、本装置１の動作を詳しく説明する。
【００３４】
まず、有線ＬＡＮ５を介した通信が出来ない、またはスループットが非常に低下するような事態が発生していない、通常の状態における本装置１の動作フローについて説明する。
【００３５】
本フローは、電源が投入された状態でスタートする(Ｓ３００)。中継制御部１１は、電源が投入されるとインフラモードによる無線通信を起動し、異常検知部１７がＬＡＮ側の異常を検知しているか否か、またはＬＡＮ制御装置等からのアドホックモードへの移行を指示するコマンドを受信したか否かを監視し、ＬＡＮ側に異常が無く（Ｓ３１０，ＮＯ）またはアドホックモードへの移行を指示するコマンドも受信しない場合（Ｓ３１１，ＮＯ）、Ｓ３２０のＹＥＳ、Ｓ３２１のＮＯ、Ｓ３２２のＮＯ、Ｓ３２３およびＳ３３０のＮＯを経由して、Ｓ３４０へ進む。
【００３６】
そして、有線ＬＡＮ５を経由する通常のデータ中継を実行するために、本装置１に帰属している無線ＬＡＮ電話端末２および有線ＬＡＮ５からのパケットデータの受信を監視する（Ｓ３４０，Ｓ３５０）。
【００３７】
無線ＬＡＮ電話端末２からインフラモードによる無線通信でパケットデータを受信した場合は（Ｓ３４０，ＹＥＳ）、Ｓ３４１をＮＯ側に抜けてＳ３４２へ進み、受信したデータを有線ＬＡＮ５へ中継し（Ｓ３４２）、Ｓ３１０に戻る。なお、Ｓ３４２において、受信したデータを、本装置１に帰属している他の無線ＬＡＮ電話端末２同士で折り返し中継することも可能だが、本発明の本筋ではないので、図では省略している。
【００３８】
有線ＬＡＮ５からパケットデータを受信し（Ｓ３５０，ＹＥＳ）、受信したデータが本装置１に帰属している無線ＬＡＮ電話端末２宛てだった場合は（Ｓ３５１，ＹＥＳ）、受信したパケットデータをインフラモードによる無線通信で、無線ＬＡＮ電話端末２へ中継し（Ｓ３５２）、Ｓ３１０に戻る。なお、Ｓ３５０でＮＯなら何もしないでＳ３１０に戻る。
【００３９】
次に、有線ＬＡＮ５を介した通信が出来ない、またはスループットが非常に低下するような異常事態が発生した状態における、本装置１の動作フローについて説明する。
【００４０】
ＬＡＮ側の異常を異常検知部１７が検知した場合（Ｓ３１０，ＹＥＳ）またはＬＡＮ制御装置等からアドホックモードへの移行を指示するコマンドを受信した場合（Ｓ３１１，ＹＥＳ）、中継制御部１１は、有線ＬＡＮ５を経由するパケットデータの中継を停止し、アドホックモードによる無線通信を制御するアドホックモード通信制御部１４を起動する(Ｓ３１２)。
【００４１】
このアドホックモードによる無線通信が起動されると、無線通信部１５は、無線ＬＡＮ電話端末２とのインフラモードによる無線通信を継続しつつ、他の無線アクセスポイントとの間でアドホックモードによる無線通信を実行する。
【００４２】
異常状態が継続している間（Ｓ３２０，ＮＯ）、他の無線アクセスポイントからのアドホックモードによる無線通信でパケットデータを受信したか否か（Ｓ３３０）、無線ＬＡＮ電話端末２からインフラモードによる無線通信でパケットデータを受信したか否か（Ｓ３４０）を監視し、他の無線アクセスポイントからパケットデータを受信してなく（Ｓ３３０，ＮＯ）、無線ＬＡＮ電話端末２からもパケットデータを受信していない場合（Ｓ３４０，ＮＯ）、Ｓ３５０のＮＯに抜け、何もしないでＳ３１０に戻る。
【００４３】
他の無線アクセスポイントからアドホックモードによる無線通信でパケットデータを受信した場合（Ｓ３３０，ＹＥＳ）、受信したパケットデータが優先データか否かを判定し、優先データでなければ（Ｓ３３１，ＮＯ）、中継を拒否し（Ｓ３３２）、Ｓ３１０に戻る。
【００４４】
ここで、優先データか否かの判定は、当該パケットデータの送信元または送信先がＩＰアドレス登録部１９に登録されている宛先か否かにより判定する。なお、Ｓ３３２において、中継を拒否する際に、拒否理由を付して当該パケットデータの送信元へ中継不可を通知するようにしてもよい。
【００４５】
受信したパケットデータが優先データであった場合（Ｓ３３１，ＹＥＳ）、本装置１に帰属する無線ＬＡＮ電話端末２宛てのデータか否かを判定し（Ｓ３３３）、本装置１に帰属する無線ＬＡＮ電話端末２宛てでなければ（Ｓ３３３，ＮＯ）、当該データをそのまま他の無線アクセスポイントへ、アドホックモードによる無線通信で中継し（Ｓ３３４）、Ｓ３１０に戻る。このＳ３３４によるデータ中継により、複数の本装置１を経由する、離れた無線ＬＡＮ電話端末２間の通信が可能となる。
【００４６】
本装置１に帰属する無線ＬＡＮ電話端末２宛てであった場合（Ｓ３３３，ＹＥＳ）、受信したパケットデータがＳＩＰ呼制御に係るデータ（例えばＩｎｖｉｔｅ）であるか否かを判定し、ＳＩＰ呼制御に係らないデータであれば（Ｓ３３５，ＮＯ）、Ｓ３３７へ進む。ＳＩＰ呼制御に係るデータであれば（Ｓ３３５，ＹＥＳ）、ＳＩＰ呼制御に係る処理を実行してから（Ｓ３３６）、Ｓ３３７へ進む。
【００４７】
ここで、ＳＩＰ呼制御に係る処理（Ｓ３３６）において、発信元および発信先の内線番号はＩＰアドレスに変換され、さらに、その変換されたＩＰアドレスは通信相手のＩＰアドレスとして発信元および発信先の双方に通知される。そして、発信元および発信先の無線ＬＡＮ端末２は、通知された通信相手のＩＰアドレスを使用して両端末間で通話音声データをＲＴＰパケットで相互に通信する。なお、それ以外のＳＩＰ呼制御に係る処理は、本発明の本筋ではないので詳細な説明を省く。
【００４８】
Ｓ３３７では、受信したＳＩＰ呼制御に係るデータ（メッセージとも言う）に対する、Ｓ３３６で処理したＳＩＰ応答メッセージ（例えば２００ＯＫ）、またはＳＩＰ呼制御に係らない受信パケットデータ（例えば、音声データのＲＴＰパケット）を、本装置１に帰属する無線ＬＡＮ電話端末２へ中継し、Ｓ３１０に戻る。
【００４９】
アドホックモードが起動された状態で、インフラモードによる無線通信でパケットデータを無線ＬＡＮ電話端末２から受信した場合（Ｓ３４０，ＹＥＳ）、Ｓ３４１をＹＥＳ側に抜けてＳ３４３へ進み、中継制御部１１は、受信したパケットデータが優先データか否かを判定する（Ｓ３４３）。優先データでなければ（Ｓ３４３，ＮＯ）、中継を拒否し（Ｓ３４４）、Ｓ３１０に戻る。
【００５０】
ここで、優先データか否かの判定（Ｓ３４３）および中継拒否（Ｓ３４４）の内容は、Ｓ３３１およびＳ３３２で説明した内容と同じであり、説明を繰り返さない。
【００５１】
受信したパケットデータが優先データで（Ｓ３４３，ＹＥＳ）、ＳＩＰ呼制御に係るデータでなければ（Ｓ３４５，ＮＯ）、Ｓ３４７へそのまま進み、ＳＩＰ呼制御に係るデータ（例えばＩｎｖｉｔｅ）であった場合（Ｓ３４５，ＹＥＳ）、ＳＩＰ呼制御に係る処理を実行し、ＳＩＰ応答メッセージを生成してから（Ｓ３４６）、Ｓ３４７へ進む。
【００５２】
Ｓ３４７では、Ｓ３４６で処理して生成したＳＩＰ応答メッセージ（例えば２００ＯＫ）、または受信したパケットデータのまま（例えば、音声データのＲＴＰ音声パケット）、本装置１の電波到達範囲３内に存在する他の無線アクセスポイント（例えば、本装置１ａに対する本装置１ｂ）へ、アドホックモードによる無線通信でデータを中継し、Ｓ３１０に戻る。
【００５３】
以上説明した通り、Ｓ３３０〜Ｓ３３７およびＳ３４０〜Ｓ３４７のフローにより、他の無線アクセスポイントに帰属している所定の無線ＬＡＮ電話端末２と本装置１に帰属している無線ＬＡＮ電話端末２との間のデータ中継を、有線ＬＡＮ５を介さないで相互に中継している。
【００５４】
これにより、有線ＬＡＮ側に異常またはトラヒックの逼迫が発生した場合であっても、無線アクセスポイント（本装置１）間のアドホックモードによる無線通信を活用し、本装置１に帰属する無線ＬＡＮ端末同士の発着信および通話が可能となる。
【００５５】
なお、Ｓ３３６およびＳ３４６におけるＳＩＰ呼制御処理は、ＳＩＰサーバ８が実行すべき処理を、本装置１のＳＩＰ呼制御部１８が代行するものであり、また、Ｓ３３７における無線ＬＡＮ電話端末２と本装置１との間のデータ中継はインフラモードによる無線通信のままである。従って、無線ＬＡＮ電話端末２は、アドホックモードによる無線通信機能を有さない、一般的な無線ＬＡＮ電話端末でよい。
【００５６】
次に、アドホックモードから有線ＬＡＮ５を介した通信を再開し、通常のインフラモードに復帰するフローについて説明する。Ｓ３１２でアドホックモードを起動した後、中継制御部１１は、異常検知部１７が検知するＬＡＮ側の正常性を監視する（Ｓ３２０）。
【００５７】
ＬＡＮ側が正常な状態であることを検知し（Ｓ３２０，ＹＥＳ）、Ｓ３１１のＹＥＳにおいてアドホックモードへの移行を指示したＬＡＮ制御装置等からのコマンドをキャンセルする、インフラモード復帰を指示するコマンドを受信した場合（Ｓ３２１，ＹＥＳ）、またはアドホックモードが強制的に起動された状態でない場合（Ｓ３２２，ＮＯ）、アドホックモードを停止する（Ｓ３２３）。
【００５８】
これにより、先に説明した、Ｓ３４２およびＳ３５２による、有線ＬＡＮ５を介するインフラモードによるデータ中継を再開する。
【００５９】
なお、Ｓ３２２における、アドホックモードが強制的に起動された状態とは、Ｓ３１１でＬＡＮ制御装置等から受信したアドホックモードへの移行を指示するコマンドが有効な状態が継続している場合である。
【００６０】
以上説明した通り、本発明によれば、有線ＬＡＮ側に異常またはトラヒックの逼迫が発生した場合に、インフラモードしか有さない一般の無線ＬＡＮ端末であっても、当該有線ＬＡＮを迂回してデータ中継できる無線アクセスポイントを提供できる。
【００６１】
しかも、アドホックモードによる無線通信に必要となる通信元または通信先のＩＰアドレスの登録手段を、異常時におけるパケットデータの優先中継処理に利用できるので、通常より帯域が狭い、またはスループットが低い、アドホックモードによる無線通信を有効に活用できる。
【００６２】
また、ＬＡＮ制御装置等からの有線ＬＡＮ５を迂回する指示に応じて、本装置１は有線ＬＡＮ５を介したデータ中継を停止し、アドホックモードによる中継に切り替えるので、例えば、有線ＬＡＮ側のメンテナンスの際にも、無線ＬＡＮ端末間の通信が可能となり便利である。
【００６３】
ところで、以上の実施形態において、ＳＩＰ対応の無線ＬＡＮ電話端末を収容する無線アクセスポイントを例に、本装置１を説明したが、本発明はこれに限定されない。例えば、無線ＬＡＮ電話端末の呼制御プロトコルは、ＳＩＰ以外であってもよいし（例えば、Ｈ３２３等）、無線ＬＡＮ端末は、電話端末以外に、一般的なデータ端末であってもよい（例えば、携帯型のパーソナルコンピュータ等）。
【図１】
2011234285.tif 000003
【図２】
2011234285.tif 000004
【図３】
2011234285.tif 000005